Podtech/llm-jp-corpus-v4-ja_patent huggingface dataset:
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ネットワークを介して他の情報処理装置と接続される情報処理装置において、
自分自身の装置と前記他の情報処理装置において同じ画像が注目されている状態で行われた、少なくともいずれかの装置のユーザによる発話からキーワードを抽出する抽出手段と、
前記抽出手段により抽出されたキーワードを、キーワードの抽出元になる発話が行われたときに注目されていた画像のメタデータとして前記画像に付加する付加手段と
を備える情報処理装置。
【請求項２】
前記抽出手段により抽出されたキーワードと同じキーワードがメタデータとして付加されている画像を検索する検索手段をさらに備える
請求項１に記載の情報処理装置。
【請求項３】
前記検索手段により検索された画像を表示させる表示制御手段をさらに備える
請求項２に記載の情報処理装置。
【請求項４】
前記表示制御手段は、注目する画像として選択可能な画像と、その中から注目する画像として選択された画像と、前記検索手段により検索された画像とを同じ画面に表示させる
請求項３に記載の情報処理装置。
【請求項５】
前記表示制御手段は、前記検索手段により検索された複数の画像を、注目された時間、注目された回数、付加されているキーワードの数のうちの少なくともいずれかに基づいて並べて表示させる
請求項３に記載の情報処理装置。
【請求項６】
前記抽出手段により抽出されたキーワードを表示させる表示制御手段をさらに備え、
前記付加手段は、前記表示制御手段により表示されたキーワードのうち、ユーザにより選択されたキーワードを、注目されていた画像のメタデータとして前記画像に付加する
請求項１に記載の情報処理装置。
【請求項７】
ネットワークを介して他の情報処理装置と接続される情報処理装置の情報処理方法において、
自分自身の装置と前記他の情報処理装置において同じ画像が注目されている状態で行われた、少なくともいずれかの装置のユーザによる発話からキーワードを抽出し、
抽出したキーワードを、キーワードの抽出元になる発話が行われたときに注目されていた画像のメタデータとして前記画像に付加する
ステップを含む情報処理方法。
【請求項８】
ユーザによる発話からキーワードを抽出する抽出手段と、
前記抽出手段により抽出されたキーワードを、キーワードの抽出元になる発話が行われたときに注目されていた画像のメタデータとして前記画像に付加する付加手段と
を備える情報処理装置。
【請求項９】
前記抽出手段により抽出されたキーワードと同じキーワードがメタデータとして付加されている画像を検索する検索手段をさらに備える
請求項８に記載の情報処理装置。
【請求項１０】
ユーザによる発話からキーワードを抽出し、
抽出したキーワードを、キーワードの抽出元になる発話が行われたときに注目されていた画像のメタデータとして前記画像に付加する
ステップを含む情報処理方法。
【手続補正２】
【補正対象書類名】明細書
【補正対象項目名】発明の名称
【補正方法】変更
【補正の内容】
【発明の名称】情報処理装置、情報処理方法
【手続補正３】
【補正対象書類名】明細書
【補正対象項目名】０００１
【補正方法】変更
【補正の内容】
【０００１】
本発明は、情報処理装置、情報処理方法に関し、特に、例えばユーザの会話の内容と関連のある画像を検索するのに用いられるメタデータを、容易に、画像に付加することができるようにした情報処理装置、情報処理方法に関する。
【手続補正４】
【補正対象書類名】明細書
【補正対象項目名】００１７
【補正方法】変更
【補正の内容】
【００１７】
本発明の第１の側面の情報処理方法は、自分自身の装置と他の情報処理装置において同じ画像が注目されている状態で行われた、少なくともいずれかの装置のユーザによる発話からキーワードを抽出し、抽出したキーワードを、キーワードの抽出元になる発話が行われたときに注目されていた画像のメタデータとして前記画像に付加するステップを含む。
【手続補正５】
【補正対象書類名】明細書
【補正対象項目名】００２０
【補正方法】変更
【補正の内容】
【００２０】
本発明の第２の側面の情報処理方法は、ユーザによる発話からキーワードを抽出し、抽出したキーワードを、キーワードの抽出元になる発話が行われたときに注目されていた画像のメタデータとして前記画像に付加するステップを含む。
【手続補正６】
【補正対象書類名】明細書
【補正対象項目名】００２９
【補正方法】変更
【補正の内容】
【００２９】
本発明の第１の側面の情報処理方法は、自分自身の装置と他の情報処理装置において同じ画像が注目されている状態で行われた、少なくともいずれかの装置のユーザによる発話からキーワードを抽出し、抽出したキーワードを、キーワードの抽出元になる発話が行われたときに注目されていた画像のメタデータとして前記画像に付加するステップ（例えば、図１５のステップＳ２５）を含む。
【手続補正７】
【補正対象書類名】明細書
【補正対象項目名】００３２
【補正方法】変更
【補正の内容】
【００３２】
本発明の第２の側面の情報処理方法は、ユーザによる発話からキーワードを抽出し、抽出したキーワードを、キーワードの抽出元になる発話が行われたときに注目されていた画像のメタデータとして前記画像に付加するステップ（例えば、図１５のステップＳ２５）を含む。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
画像データを入力し記憶手段に保存管理する画像データ管理装置であって、
画像データを入力する入力手段と、
前記入力手段で画像データを入力する際に、該画像データを新規データとして前記記憶手段に記憶管理するのか既記憶の画像データに対する更新データとして前記記憶手段に記憶管理するのかを指定する指定手段と、
前記指定手段で新規データの指定があった場合、前記入力手段で入力された画像データを、該画像データを特定する情報と共に前記記憶手段に格納する第１の格納手段と、
前記指定手段で更新データの指定があった場合、更新元となる既記憶の画像データを特定する情報を入力することで、該既記憶の画像データと前記入力手段で入力する画像データとの差分データを抽出し、抽出した差分データを該既記憶の画像データの更新データとして前記記憶手段に格納する第２の格納手段と
を備えることを特徴とする画像データ管理装置。
【請求項２】
前記第２の格納手段は、像域分離および文字認識の結果に基づき差分データを抽出することを特徴とする請求項１に記載の画像データ管理装置。
【請求項３】
前記入力手段に複数の画像データから構成される画像データ群が入力される場合に、
前記差分データは、少なくとも、画像データ群を構成する複数の画像データ構成の構成差分情報と前記画像データ内の画像差分情報とを独立して管理することを特徴とする請求項１または２に記載の画像データ管理装置。
【請求項４】
前記入力手段に共通のオブジェクト配置を有した複数の画像データが入力される場合に、
前記指定手段による指定内容に関わらず、前記第２の格納手段を選択使用することを特徴とする請求項１乃至３の何れか１項に記載の画像データ管理装置。
【請求項５】
前記第２の格納手段は、更新元となる既記憶の画像データを特定する情報を入力することで、過去の更新履歴情報に基づいて前回の更新画像データを復元し、当該前回の更新画像データと前記入力手段で入力する画像データとの差分データを抽出し、抽出した差分データを前記特定手段で特定された画像データの更新履歴情報として前記記憶手段に格納することを特徴とする請求項１乃至４の何れか１項に記載の画像データ管理装置。
【請求項６】
画像データを入力し記憶手段に保存管理する画像データ管理装置の制御方法であって、
入力手段が、  画像データを入力する入力工程と、
指定手段が、前記入力工程で画像データを入力する際に、該画像データを新規データとして前記記憶手段に記憶管理するのか既記憶の画像データに対する更新データとして前記記憶手段に記憶管理するのかを指定する指定工程と、
第１の格納手段が、前記指定工程で新規データの指定があった場合、前記入力工程で入力された画像データを該画像データを特定する情報と共に前記記憶手段に格納する第１の格納工程と、
第２の格納手段が、前記指定工程で更新データの指定があった場合、更新元となる既記憶の画像データを特定する情報を入力することで、該既記憶の画像データと前記入力工程で入力する画像データとの差分データを抽出し、抽出した差分データを該既記憶の画像データの更新データとして前記記憶手段に格納する第２の格納工程と
を備えることを特徴とする画像データ管理装置の制御方法。
【請求項７】
コンピュータを請求項１乃至５の何れか一項に記載の画像データ管理装置の各手段として動作させるためのコンピュータ・プログラム。
【手続補正２】
【補正対象書類名】明細書
【補正対象項目名】０００９
【補正方法】変更
【補正の内容】
【０００９】
画像データを入力し記憶手段に保存管理する画像データ管理装置の制御方法において、入力手段が、画像データを入力する入力工程と、指定手段が、入力工程で画像データを入力する際に画像データを新規データとして記憶手段に記憶管理するのか既記憶の画像データに対する更新データとして記憶手段に記憶管理するのかを指定する指定工程と、第１の格納手段が、指定工程で新規データの指定があった場合、入力工程で入力された画像データを該画像データを特定する情報と共に記憶手段に格納する第１の格納工程と、第２の格納手段が、指定工程で更新データの指定があった場合、更新元となる既記憶の画像データを特定する情報を入力することで、既記憶の画像データと入力工程で入力する画像データとの差分データを抽出し、抽出した差分データを既記憶の画像データの更新データとして記憶手段に格納する第２の格納工程とを備える。
【手続補正３】
【補正対象書類名】明細書
【補正対象項目名】００１０
【補正方法】削除
【補正の内容】
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
デジタル放送信号に含まれるトランスポートストリームを記録する録画再生装置において、
デジタル放送信号の映像データ、音声データ、データ放送のデータのトランスポートストリームを受信する受信部と、
少なくとも第１の記録モードと第２の記録モードのいずれかの選択された記録モードで記録可能であり、前記第１の記録モードが選択されると、前記受信部で受信された映像データ、音声データ及びデータ放送のデータのトランスポートストリームを記録し、前記第２の記録モードが選択されると、前記受信部で受信されたトランスポートストリームより、データ放送のデータのトランスポートストリームを除いて前記映像データ及び音声データを記録する記録部を有することを特徴とする録画再生装置。
【請求項２】
デジタル放送信号に含まれるトランスポートストリームを記録する録画再生装置において、
デジタル放送信号の映像データ、音声データ、データ放送のデータのトランスポートストリームを受信する受信部と、
少なくとも第１の記録モードと、トランスポートストリームを第１の記録モードより高圧縮で記録する第２の記録モードのいずれかの選択された記録モードで記録可能であり、前記第１の記録モードが選択されると、前記受信部で受信された映像データ、音声データ及びデータ放送のデータのトランスポートストリームを記録し、前記第２の記録モードが選択されると、前記受信部で受信されたトランスポートストリームより、データ放送のデータのトランスポートストリームを除いて前記映像データ及び音声データを記録する記録部を有することを特徴とする録画再生装置。
【請求項３】
請求項１において、
前記記録部は、トランスポートストリームを記録するとき、圧縮して記録することを特徴とする録画再生装置。
【請求項４】
請求項１において、
前記音声データのうち、主音声及び／又は副音声をユーザが選択して、記録部に記録することを特徴とする録画再生装置。
【請求項５】
請求項１において、
前記記録モードと、前記記録モードで記録メディアに記録できる記録可能時間の残量を表示装置に出力することを特徴とする録画再生装置。
【請求項６】
デジタル放送信号に含まれるトランスポートストリームを記録する録画再生装置において、
デジタル放送信号の映像データ、音声データ、データ放送のデータのトランスポートストリームを受信する受信部と、
前記トランスポートストリームよりデータ放送のためのデータのトランスポートストリームを除いて、映像データ、音声データのトランスポートストリームを抽出する抽出部と、
前記抽出部が抽出した前記映像データ及び音声データのトランスポートストリームを記録する記録部を有することを特徴とする録画再生装置。
【手続補正２】
【補正対象書類名】明細書
【補正対象項目名】００３４
【補正方法】変更
【補正の内容】
【００３４】
図１１には、各種録画モードと、デジタル放送及びアナログ放送の場合の録画時間の例を示している。
ＭＰＥＧ２−ＴＳ（トランスポートストリーム）信号を録画するＴＳモードと、ＭＰＥＧ２−ＴＳ（トランスポートストリーム）信号のうち、必要な信号を選択して録画するＴＳＥ１モード、ＴＳＥ２モードなどの、録画モードをユーザが選択することができる。尚、ＸＰ、ＳＰ、ＬＰ、ＥＰモードは、ＴＳを記録するモードではなく、ＴＳを復号してアナログ信号に変換した後に、再びデジタル信号に変換して圧縮符号化して記録するモードである。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
補助光を照射する補助光源を有するカメラに於いて、
撮影前の画面内に顔画像が含まれるかを検出する顔検出部と、
上記顔検出部によって検出された画面内の顔の位置、大きさ、移動に従って、上記補助光の撮影時の発光と、上記撮影時に先立つプリ発光時の発光を制御する制御部と、
を具備することを特徴とするカメラ。
【請求項２】
上記プリ発光時の発光の結果、上記画面内の顔の明るさの変化を検出する明るさ検出部を更に具備し、
上記制御部は、上記明るさ検出部で検出された顔部の明るい部分が変化せず、該顔部の位部分が変化した場合に、上記撮影時の発光制御を行うことを特徴とする請求項１に記載のカメラ。
【請求項３】
上記顔検出部によって検出された画面内の顔の位置、大きさ、移動に従って、撮影した画像の圧縮率を切り替える圧縮率切替部を更に具備することを特徴とする請求項１に記載のカメラ。
【手続補正２】
【補正対象書類名】明細書
【補正対象項目名】０００５
【補正方法】変更
【補正の内容】
【０００５】
すなわち請求項１に記載の発明は、補助光を照射する補助光源を有するカメラに於いて、撮影前の画面内に顔画像が含まれるかを検出する顔検出部と、上記顔検出部によって検出された画面内の顔の位置、大きさ、移動に従って、上記補助光の撮影時の発光と、上記撮影時に先立つプリ発光時の発光を制御する制御部と、を具備することを特徴とする。
【手続補正３】
【補正対象書類名】明細書
【補正対象項目名】０００６
【補正方法】変更
【補正の内容】
【０００６】
請求項２に記載の発明は、請求項１に記載の発明に於いて、上記プリ発光時の発光の結果、上記画面内の顔の明るさの変化を検出する明るさ検出部を更に具備し、上記制御部は、上記明るさ検出部で検出された顔部の明るい部分が変化せず、該顔部の位部分が変化した場合に、上記撮影時の発光制御を行うことを特徴とする。
【手続補正４】
【補正対象書類名】明細書
【補正対象項目名】０００７
【補正方法】変更
【補正の内容】
【０００７】
請求項３に記載の発明は、請求項１に記載の発明に於いて、上記顔検出部によって検出された画面内の顔の位置、大きさ、移動に従って、撮影した画像の圧縮率を切り替える圧縮率切替部を更に具備することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
テレビ番組を表示するテレビ画面と、テレビ操作部と、前記テレビ操作部の操作に基づき外部のテレビのテレビ画面の表示を変更するための伝達情報を自動的に作成する伝達情報作成部と、前記伝達情報を自動的に前記外部のテレビに送信するとともに外部のテレビによって行われたテレビ操作に基づいて外部から自動的に伝達される伝達情報を受信する通信部と、前記テレビ操作部の操作および前記通信部が受信する伝達情報に基づいて前記テレビ画面の表示を変更するテレビ機能部とを有することを特徴とする通信機能を有するテレビ。
【請求項２】
テレビ番組を表示するテレビ画面と、テレビ操作部と、外部のテレビによって行われたテレビ操作に基づいて外部から自動的に伝達される伝達情報を受信する通信部と、前記テレビ操作部の操作および前記通信部が受信する伝達情報に基づいて前記テレビ画面の表示を変更するテレビ機能部とを有することを特徴とする通信機能を有するテレビ。
【請求項３】
テレビ番組を表示するテレビ画面と、テレビ操作部と、前記テレビ操作部の操作に基づき外部のテレビのテレビ画面の表示を変更するための伝達情報を自動的に作成する伝達情報作成部と、前記伝達情報を自動的に前記外部のテレビに送信する通信部と、前記操作部の操作に基づいて前記テレビ画面の表示を変更するテレビ機能部とを有することを特徴とする通信機能を有するテレビ。
【請求項４】
テレビ番組を表示するテレビ画面と、テレビ操作部と、前記テレビ操作部による操作に基づいて所定の送信先宛の電子メールを自動作成するとともに前記テレビ操作部の操作に基づく伝達情報を前記電子メールに自動添付する電子メール自動作成手段と、前記電子メール自動作成手段が作成した電子メールを自動的に送信する通信部とを有することを特徴とする通信機能を有するテレビ。
【請求項５】
前記テレビ操作部は、正常操作に応答して機能する通常機能部と、異常操作を検出する異常検出部とを有し、前記異常検出部に応答して緊急伝達情報を発生することを特徴とする請求項１または３または４記載の通信機能を有するテレビ。
【請求項６】
操作部と、前記操作部の正常操作に応答して機能する通常機能部と、前記操作部の異常操作を検出する異常検出部と、前記異常検出部に応答して所定の通信先に所定の伝達情報を自動発信する緊急伝達情報発生部とを有することを特徴とする通信機能を有する機器の操作装置。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
無線通信装置で用いられる送信電力制御システムであって、
過去の送信電力値を記憶する記憶手段と、
前記記憶手段が記憶している過去の送信電力値に基づいて、送信電力制御の初期値を決定する決定手段と、
を備えることを特徴とする送信電力制御システム。
【請求項２】
前記記憶手段は、過去の送信電力値の履歴を記憶することを特徴とする請求項１に記載の送信電力制御システム。
【請求項３】
前記決定手段は、前記記憶手段に記憶されている過去の送信電力値に基づいて、前記無線通信装置の使用形態を判定する判定手段を有し、該判定手段による判定結果に基づいて、前記初期値を決定することを特徴とする請求項１又は２に記載の送信電力制御システム。
【請求項４】
前記決定手段は、
前記記憶手段に記憶されている過去の送信電力値の分散値に基づいて、前記無線通信装置の使用形態を判定する判定手段を有し、該判定手段による判定結果に基づいて、前記初期値を決定することを特徴とする請求項１乃至３のいずれか１項に記載の送信電力制御システム。
【請求項５】
前記決定手段は、
前記記憶手段に記憶されている過去の送信電力値の標準偏差値に基づいて、前記無線通信装置の使用形態を判定する判定手段を有し、該判定手段による判定結果に基づいて、前記初期値を決定することを特徴とする請求項１乃至３のいずれか１項に記載の送信電力制御システム。
【請求項６】
前記決定手段は、前記無線通信装置の使用形態に応じた決定方法により前記初期値を決定することを特徴とする請求項３乃至５のいずれか１項に記載の送信電力制御システム。
【請求項７】
前記決定手段は、前記無線通信装置の使用形態に応じて、前記記憶手段に記憶されている過去の送信電力値の平均値を前記初期値に決定することを特徴とする請求項３乃至６のいずれか１項に記載の送信電力制御システム。
【請求項８】
前記決定手段は、前記無線通信装置の使用形態に応じて、前記記憶手段に記憶されている過去の送信電力値の中央値を前記初期値に決定することを特徴とする請求項３乃至６のいずれか１項に記載の送信電力制御システム。
【請求項９】
前記決定手段は、前記無線通信装置の使用形態に応じて、前記記憶手段に記憶されている過去の送信電力値の最新値を前記初期値に決定することを特徴とする請求項３乃至６のいずれか１項に記載の送信電力制御システム。
【請求項１０】
前記決定手段は、前記無線通信装置の使用形態に応じて、前記記憶手段に記憶されている過去の送信電力値の最大値を前記初期値に決定することを特徴とする請求項３乃至６のいずれか１項に記載の送信電力制御システム。
【請求項１１】
前記決定手段は、前記無線通信装置の使用形態に応じて、送信電力制御の上限値を前記初期値に決定することを特徴とする請求項３乃至６のいずれか１項に記載の送信電力制御システム。
【請求項１２】
請求項１乃至１１のいずれか１項に記載の送信電力制御システムを有することを特徴とする無線通信装置。
【請求項１３】
コンピュータに、無線通信装置で用いられる送信電力の制御を行わせるためのプログラムであって、
コンピュータに、
前記無線通信装置の過去の送信電力値に基づいて、前記無線通信装置の送信電力制御の初期値を決定させることを特徴とするプログラム。
【手続補正２】
【補正対象書類名】明細書
【補正対象項目名】００２１
【補正方法】変更
【補正の内容】
【００２１】
本発明は、過去の送信電力値に基づいて、送信電力制御の初期値を決定する。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理方法であって、
ターゲットデバイスに依存する色空間の信号でありプルーフ対象の第１のオリジナル画像信号を、ターゲットデバイスに依存する色空間の信号を当該ターゲットデバイスに独立な色空間の信号に変換するためのターゲットデバイスプロファイルを用いて変換するステップと、
前記第１のプロファイルにおける前記出力デバイスに独立な色空間の信号の複数の代表値から、前記変換された前記第１のオリジナル画像信号の各画素毎を取り囲む代表値を抽出するステップと、
前記各画素毎の前記抽出結果に従い、決まる値群に従うカラーチャート画像を生成するするステップと
を備えることを特徴とする画像処理方法。
【請求項２】
前記抽出結果に基づいて、前記代表値を前記抽出の頻度に応じて並べた結果を、前記カラーチャート画像として生成することを特徴とする請求項１に記載の画像処理方法。
【請求項３】
前記第１のオリジナル画像信号をｎ色の画像色に減色した後に、前記抽出は行なわれることを特徴とする請求項１に記載の画像処理方法。
【請求項４】
出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理装置であって、
ターゲットデバイスに依存する色空間の信号でありプルーフ対象の第１のオリジナル画像信号を、ターゲットデバイスに依存する色空間の信号を当該ターゲットデバイスに独立な色空間の信号に変換するためのターゲットデバイスプロファイルを用いて変換する手段と、
前記第１のプロファイルにおける前記出力デバイスに独立な色空間の信号の複数の代表値から、前記変換された前記第１のオリジナル画像信号の各画素毎を取り囲む代表値を抽出する手段と、
前記各画素毎の前記抽出結果に従い、決まる値群に従うカラーチャート画像を生成するする手段と
を備えることを特徴とする画像処理装置。
【請求項５】
請求項１に記載の画像処理方法の各ステップをコンピュータに実行させることを特徴とするプログラム。
【手続補正２】
【補正対象書類名】明細書
【補正対象項目名】００１０
【補正方法】変更
【補正の内容】
【００１０】
上記目的を達成するため、本発明は、出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理方法であって、ターゲットデバイスに依存する色空間の信号でありプルーフ対象の第１のオリジナル画像信号を、ターゲットデバイスに依存する色空間の信号を当該ターゲットデバイスに独立な色空間の信号に変換するためのターゲットデバイスプロファイルを用いて変換するステップと、前記第１のプロファイルにおける前記出力デバイスに独立な色空間の信号の複数の代表値から、前記変換された前記第１のオリジナル画像信号の各画素毎を取り囲む代表値を抽出するステップと、前記各画素毎の前記抽出結果に従い、決まる値群に従うカラーチャート画像を生成するするステップとを備えることを特徴とする画像処理方法。
【手続補正３】
【補正対象書類名】明細書
【補正対象項目名】００４１
【補正方法】変更
【補正の内容】
【００４１】
ステップS05：
ここまでのステップS02からステップS04で処理した画素が、プレビュー画像１006の全画素中、もしくはユーザが指定した任意の範囲の画素中、における最終画素であるかどうかの判定をする。最終画素である場合、ステップS06へ処理を移す。最終画素でない場合、ステップS08を経て、次の画素についてステップS02からステップS04の処理を継続する。
【手続補正４】
【補正対象書類名】明細書
【補正対象項目名】００４３
【補正方法】変更
【補正の内容】
【００４３】
ステップS07：
近傍テーブル値抽出部A001の処理を終え、チャート画像1007を作成するステップS07に移行するに際して、ユーザインターフェースからの指示によって、得られている情報を元に、テーブル情報を並び替えるなどの処理を行う。
【手続補正５】
【補正対象書類名】明細書
【補正対象項目名】００４５
【補正方法】変更
【補正の内容】
【００４５】
したがって、本ステップS06における処理を工夫する事で様々な効果を得る事ができる。
【手続補正６】
【補正対象書類名】明細書
【補正対象項目名】００４６
【補正方法】変更
【補正の内容】
【００４６】
［ステップS06における用例］
例えば、ステップS06で確認した蓄積点数値がゼロであるテーブルについては、プレビュー画像1006の全画素もしくは任意の範囲の画素で使われる事のないテーブルであることを知る事ができる。また、蓄積点数順、即ち、使用頻度順に昇順または降順に並べ替えることもできる。
【手続補正７】
【補正対象書類名】明細書
【補正対象項目名】００４９
【補正方法】変更
【補正の内容】
【００４９】
図８はステップS06における処理を選択するためのユーザインタフェースの一例である。
【手続補正８】
【補正対象書類名】明細書
【補正対象項目名】００５０
【補正方法】変更
【補正の内容】
【００５０】
ステップS07：
ステップS06にて並び替えや不要情報の削除等の処理が行われたテーブル情報のデバイス依存色情報1101a2を用いて、モニタ画面上に表示されるチャート画像1007を作成する。使用するサンプル画像1006から新たに作成したチャート画像1007は、当該サンプル画像1006とモニタ画面上に並列表示可能であり、当該サンプル画像1006と併用する事ができる。このように、サンプル画像１００６が使用している色情報に基づいて、関連するルックアップテーブル上の色情報を抽出し、抽出された色情報をカラーチャート画像として表示することができる。これによって、ユーザは、ルックアップテーブル上の色情報を直接選択することができるようになるので、ユーザの意図する色調整をルックアップテーブルにダイレクトに反映させることができる。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
複数のアクセスポイントと前記複数のアクセスポイントを管理する管理装置とが通信可能に接続され、複数のチャネルを使用するシステムであって、
前記管理装置が、
前記複数のアクセスポイントの各々が利用するチャネルと、各チャネルの帯域の割当の状態を示す情報を保持する保持手段と、
端末からの帯域要求を、アクセスポイントを介して受信する受信手段と、
前記アクセスポイントが使用しているチャネルにおける帯域の割当の状態に基づいて、前記帯域要求が要求する帯域を当該チャネルへ割当が可能か否かを判定する判定手段と、
前記判定手段による判定に応じて、前記アクセスポイントのチャネルの切り換え処理を実行する実行手段とを備えることを特徴とするシステム。
【請求項２】
前記実行手段は、
前記判定手段で割当が不可と判定された場合に、割り当て済みとなっている帯域と前記帯域要求が要求している帯域との合計も帯域を割り当てることが可能な他のアクセスポイントと、前記アクセスポイントとの間でチャネルを交換することを特徴とする請求項１に記載のシステム。
【請求項３】
前記チャネルの交換において、前記実行手段が可能な複数種類の手順のいずれの手順を用いるかを示す情報を端末毎に登録する登録手段を更に備え、
前記実行手段は、前記帯域要求を発信した端末に対応する手順により、前記チャネルの交換を実行することを特徴とする請求項２に記載のシステム。
【請求項４】
前記複数種類の手順の一つにおいて、前記実行手段は、前記判定手段で割り当て不可と判定された場合に、前記アクセスポイントと前記他のアクセスポイントに、使用チャネルを直ちに切り換えさせることを特徴とする請求項３に記載のシステム。
【請求項５】
前記複数種類の手順の一つにおいて、前記実行手段は、前記判定手段で割り当て不可と判定された場合に、前記アクセスポイントと前記他のアクセスポイントとのチャネルの切り換えタイミングを合うようにチャネルの切り換え処理を実行することを特徴とする請求項３に記載のシステム。
【請求項６】
前記複数種類の手順の一つにおいて、前記実行手段は、前記判定手段で割り当て不可と判定された場合に、前記アクセスポイントを介して通信中の端末のユーザによる操作に応じて、前記チャネルの交換を実行することを特徴とする請求項３に記載のシステム。
【請求項７】
複数のアクセスポイントを管理するための管理装置であって、
前記複数のアクセスポイントの各々が利用するチャネルと、各チャネルの帯域の割当の状態を管理する管理手段と、
端末からの帯域要求を、アクセスポイントを介して受信する受信手段と、
前記アクセスポイントが使用しているチャネルにおける帯域の割当の状態に基づいて、前記帯域要求が要求する帯域を当該チャネルへ割当が可能か否かを判定する判定手段と、
前記判定手段による判定に応じて、前記アクセスポイントのチャネルの切り換え処理を実行する実行手段とを備えることを特徴とする管理装置。
【請求項８】
複数のアクセスポイントを管理する管理方法であって、
管理手段が、前記複数のアクセスポイントの各々が利用するチャネルと、各チャネルの帯域の割当の状態を管理する管理工程と、
受信手段が、端末からの帯域要求を、アクセスポイントを介して受信する受信工程と、
判定手段が、前記アクセスポイントが使用しているチャネルにおける帯域の割当の状態に基づいて、前記帯域要求が要求する帯域を当該チャネルへ割当が可能か否かを判定する判定工程と、
実行手段が、前記判定工程における判定に応じて、前記アクセスポイントのチャネルの切り換え処理を実行する実行工程とを備えることを特徴とする管理方法。
【請求項９】
前記実行工程では、
前記判定工程で割当が不可と判定された場合に、割り当て済みとなっている帯域と前記帯域要求が要求している帯域との合計の帯域を割り当てることが可能な他のアクセスポイントと、前記アクセスポイントとの間でチャネルを交換することを特徴とする請求項８に記載の管理方法。
【請求項１０】
前記実行工程は、前記帯域要求を発信した端末に応じた手順により、前記チャネルの交換を実行することを特徴とする請求項９に記載の管理方法。
【手続補正２】
【補正対象書類名】明細書
【補正対象項目名】発明の名称
【補正方法】変更
【補正の内容】
【発明の名称】システム並びに管理方法及び装置
【手続補正３】
【補正対象書類名】明細書
【補正対象項目名】０００１
【補正方法】変更
【補正の内容】
【０００１】
本発明は、通信の状態に応じてチャネルの切り換えを行うシステム並びに管理方法及び装置に関する。
【手続補正４】
【補正対象書類名】明細書
【補正対象項目名】０００９
【補正方法】変更
【補正の内容】
【０００９】
上記の課題を解決するための本発明の一態様によるシステムは以下の構成を備える。即ち、
複数のアクセスポイントと前記複数のアクセスポイントを管理する管理装置とが通信可能に接続され、複数のチャネルを使用するシステムであって、
前記管理装置が、
前記複数のアクセスポイントの各々が利用するチャネルと、各チャネル毎の帯域の割当状態を示す情報を保持する保持手段と、
端末からの帯域要求を、アクセスポイントを介して受信する受信手段と、
前記アクセスポイントが使用しているチャネルにおける帯域の割当の状態に基づいて、前記帯域要求が要求する帯域を当該チャネルへ割当が可能か否かを判定する判定手段と、
前記判定手段による判定に応じて、前記アクセスポイントのチャネルの切り換え処理を実行する実行手段とを備える。
【手続補正書】
【提出日】平成21年3月13日(2009.3.13)
【手続補正１】
【補正対象書類名】明細書
【補正対象項目名】０００６
【補正方法】変更
【補正の内容】
【０００６】
図１１は、カラー固体撮像素子の受光部の構造を示す断面図である。図１１に示すように、シリコン半導体基板１０４の表面に光を電荷に変換するフォトダイオード（ＰＤ）１０５が形成されている。シリコン半導体基板１０４上には、平坦化層１０３を介してカラーフィルタ１０２及びマイクロレンズ１０１が形成されている。マイクロレンズ１０１は、入射する光をフォトダイオード１０５に有効に集光させる。カラーフィルタ１０２は、入射した光の特定波長成分のみ透過する。平坦化層１０３は、マイクロレンズ１０１やカラーフィルタ１０２を正確に形成するためにその下地を平坦化している。フォトダイオード１０５により生成された信号電荷は、受光部に接続された転送部（図示せず）により撮像素子の外部へ出力される。
【手続補正２】
【補正対象書類名】明細書
【補正対象項目名】０００７
【補正方法】変更
【補正の内容】
【０００７】
しかし、上記の従来のカラー固体撮像素子においては、各カラーフィルタ１０２を透過した光がフォトダイオード１０５に入射するが、そのカラーフィルタ１０２の色によって、フォトダイオード１０５で発生する電荷の生成場所が異なる。即ち、電荷の発生する深さが異なる。これは、シリコンの光吸収係数が、光の波長により異なるということに起因する。シリコンの吸収係数は光の波長が短いほど大きく、波長が長いほど小さくなる。このため、青（Ｂ）のカラーフィルタ１０２を透過した光は、フォトダイオード１０５の表面で吸収され電荷を発生するのに対し、赤（Ｒ）のカラーフィルタ１０２を透過した光は、フォトダイオード１０５の深い部分まで侵入し、そこで電荷を発生する。このため、光電変換効率が３色の間で相違し、ホワイトバランス等の処理を適切に行うことができずにノイズが発生することがある。
【手続補正３】
【補正対象書類名】明細書
【補正対象項目名】００２６
【補正方法】変更
【補正の内容】
【００２６】
この撮像装置には、レンズ及び絞りからなる光学系２０１、メカニカルシャッタ（メカシャッタと図示する）２０２、第１の実施形態に係る固体撮像素子２０３が設けられている。また、アナログ信号処理を行うＣＤＳ回路２０４、アナログ信号をデジタル信号に変換するＡ／Ｄ変換器２０５、並びに撮像素子２０３、ＣＤＳ回路２０４及びＡ／Ｄ変換器２０５を動作させる信号を発生するタイミング信号発生回路２０６が設けられている。更に、光学系２０１、メカニカルシャッタ２０２及び撮像素子２０３を駆動する駆動回路２０７、撮影した画像データに必要な信号処理を行う信号処理回路２０８、並びに信号処理された画像データを記憶する画像メモリ２０９が設けられている。更に、信号処理された画像データを取り外し可能な画像記録媒体２１０に記録する記録回路２１１、信号処理された画像データを表示する画像表示装置２１２、及び画像表示装置２１２に画像を表示する表示回路２１３が設けられている。更に、撮像装置全体を制御するシステム制御部２１４、並びにシステム制御部２１４により実行されるプログラムを記憶した不揮発性メモリ（ＲＯＭ）２１５が設けられている。不揮発性メモリ２１５には、このプログラムを実行する際に使用されるパラメータ及びテーブル等の制御データ並びにキズアドレス等の補正データも記憶されている。更に、不揮発性メモリ２１５から転送されてきたプログラム、制御データ及び補正データを記憶しておき、システム制御部２１４が撮像装置を制御する際にワークエリアとして使用する揮発性メモリ（ＲＡＭ）２１６も設けられている。
【手続補正４】
【補正対象書類名】明細書
【補正対象項目名】００３１
【補正方法】変更
【補正の内容】
【００３１】
次に、信号処理回路２０８が、システム制御部２１４により制御され、デジタル画像信号に対して、色変換、ホワイトバランス及びガンマ補正等の画像処理、解像度変換処理並びに画像圧縮処理等を行う。この時、画像メモリ２０９が、信号処理中のデジタル画像信号を一時的に記憶したり、信号処理されたデジタル画像信号である画像データを記憶したりするために用いられる。信号処理回路２０８により信号処理された画像データは、例えば、記録回路２１１によって画像記録媒体２１０に適したデータ（例えば階層構造を持つファイルシステムデータ）に変換されて、画像記録媒体２１０に記録される。また、信号処理回路２０８により解像度変換処理が実施された後、表示回路２１３によって画像表示装置２１２に適した信号（例えばＮＴＳＣ方式のアナログ信号等）に変換されて画像表示装置２１２に表示されることもある。画像メモリ２０９に記憶されている画像データも、同様に、画像記録媒体２１０に記録されたり、画像表示装置２１２に表示されたりする。
【手続補正５】
【補正対象書類名】明細書
【補正対象項目名】００３５
【補正方法】変更
【補正の内容】
【００３５】
先ず、記録回路２１１が、システム制御部２１４からの制御信号により画像記録媒体２１０から画像データを読み出す。そして、記録回路２１１により読み出された画像データが圧縮画像であった場合には、システム制御部２１４からの制御信号により、信号処理回路２０８が画像伸長処理を行い、画像メモリ２０９に記憶する。画像メモリ２０９に記憶されている画像データは、信号処理回路２０８によって解像度変換処理が実施された後、表示回路２１３によって画像表示装置２１２に適した信号に変換され、画像表示装置２１２に表示される。
【手続補正６】
【補正対象書類名】図面
【補正対象項目名】図１１
【補正方法】変更
【補正の内容】
【図１１】
2007281820.tif 000001
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
フィルム映像信号を２−３プルダウン処理によりテレシネ変換した飛び越し走査の入力映像信号を、該入力映像信号とはフレーム周波数の異なる順次走査の出力映像信号に変換する画像処理装置であって、
前記入力映像信号の連続する複数のフィールドを選択的に合成して前記出力映像信号に変換する第１の変換処理を行う変換手段と、
前記２−３プルダウン処理を行う際に、前記フィルム映像信号から前記入力映像信号を生成するときの奇数フィールドと偶数フィールドとの配置の周期を表すテレシネサイクルを検出する検出手段とを有し、
前記テレシネサイクルの位相が変化した場合に、前記変換手段は、前記第１の変換処理を停止し、前記入力映像信号の動き情報に応じてフィールド内補間又はフィールド間補間を選択的に行うことによって、前記入力映像信号を前記出力映像信号に変換する第２の変換処理を行うことを特徴とする画像処理装置。
【請求項２】
前記変換手段は、前記テレシネサイクルの位相が変化した場合、テレシネ変換された飛び越し走査の映像信号ではない映像信号を一旦入力し、その後再度、テレシネ変換された飛び越し走査の映像信号を入力したときに、前記第１の変換処理を再度行うことを特徴とする請求項１記載の画像処理装置。
【請求項３】
フィルム映像信号を２−３プルダウン処理によりテレシネ変換した飛び越し走査の入力映像信号を、該入力映像信号とはフレーム周波数の異なる順次走査の出力映像信号に変換する画像処理方法であって、
前記入力映像信号の連続する複数のフィールドを選択的に合成して前記出力映像信号に変換する第１の変換処理を行うステップと、
前記２−３プルダウン処理を行う際に、前記フィルム映像信号から前記入力映像信号を生成するときの奇数フィールドと偶数フィールドとの配置の周期を表すテレシネサイクルを検出するステップと、
前記テレシネサイクルの位相が変化した場合に、前記第１の変換処理を停止し、前記入力映像信号の動き情報に応じてフィールド内補間又はフィールド間補間を選択的に行うことによって、前記入力映像信号を前記出力映像信号に変換する第２の変換処理を行うステップとを有することを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は画像処理装置、及び画像処理方法に関し、特に、テレシネ変換された信号であるか否かを検出し、検出結果に応じた処理を行うために用いて好適な技術に関する。
【手続補正４】
【補正対象書類名】明細書
【補正対象項目名】００１２
【補正方法】変更
【補正の内容】
【００１２】
本発明の画像処理装置は、フィルム映像信号を２−３プルダウン処理によりテレシネ変換した飛び越し走査の入力映像信号を、該入力映像信号とはフレーム周波数の異なる順次走査の出力映像信号に変換する画像処理装置であって、前記入力映像信号の連続する複数のフィールドを選択的に合成して前記出力映像信号に変換する第１の変換処理を行う変換手段と、前記２−３プルダウン処理を行う際に、前記フィルム映像信号から前記入力映像信号を生成するときの奇数フィールドと偶数フィールドとの配置の周期を表すテレシネサイクルを検出する検出手段とを有し、前記テレシネサイクルの位相が変化した場合に、前記変換手段は、前記第１の変換処理を停止し、前記入力映像信号の動き情報に応じてフィールド内補間又はフィールド間補間を選択的に行うことによって、前記入力映像信号を前記出力映像信号に変換する第２の変換処理を行うことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の画像処理方法は、フィルム映像信号を２−３プルダウン処理によりテレシネ変換した飛び越し走査の入力映像信号を、該入力映像信号とはフレーム周波数の異なる順次走査の出力映像信号に変換する画像処理方法であって、前記入力映像信号の連続する複数のフィールドを選択的に合成して前記出力映像信号に変換する第１の変換処理を行うステップと、前記２−３プルダウン処理を行う際に、前記フィルム映像信号から前記入力映像信号を生成するときの奇数フィールドと偶数フィールドとの配置の周期を表すテレシネサイクルを検出するステップと、前記テレシネサイクルの位相が変化した場合に、前記第１の変換処理を停止し、前記入力映像信号の動き情報に応じてフィールド内補間又はフィールド間補間を選択的に行うことによって、前記入力映像信号を前記出力映像信号に変換する第２の変換処理を行うステップとを有することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明によれば、シーンチェンジや本来の位相と異なる静止画フィールドが多分に存在する場合であっても周期の変化点における画像劣化を抑制することができる。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
エチレン／酢酸ビニル共重合体、有機過酸化物及び架橋助剤を含む太陽電池用封止膜において、
該架橋助剤として、トリアリルイソシアヌレート及びトリメチロールプロパントリ（メタ）アクリレートを含み、且つ
トリアリルイソシアヌレート及びトリメチロールプロパントリ（メタ）アクリレートの配合比が、質量で６０：４０〜９０：１０の範囲にあることを特徴とする太陽電池用封止膜。
【請求項２】
トリアリルイソシアヌレートを、エチレン／酢酸ビニル共重合体に対して０．１〜１０質量％含む請求項１に記載の太陽電池用封止膜。
【請求項３】
トリメチロールプロパントリ（メタ）アクリレートを、エチレン／酢酸ビニル共重合体に対して０．０１〜４質量％含む請求項１又は２に記載の太陽電池用封止膜。
【請求項４】
有機化酸化物として、
下記式Ｉ：
【化１】
2007281135.tif 000001
［但し、Ｒ1が、それぞれ独立して炭素原子数１〜３のアルキル基を表し、Ｒ2がエチレン基、エチニレン基又はフェニレン基を表し、そしてＲ3が、それぞれ独立して炭素原子数３〜５の分岐のアルキル基又はフェニル基を表す。］
で表されるジアルキルパーオキサイドを含んでいる請求項１〜３のいずれか１項に記載の太陽電池用封止膜。
【請求項５】
式Ｉにおいて、Ｒ1がメチル基を表し、Ｒ2がエチレン基を表し、そしてＲ3がｔ−ブチル基を表す請求項４に記載の太陽電池用封止膜。
【請求項６】
有機化酸化物として、
下記式II：
【化２】
2007281135.tif 000002
［但し、Ｒ4が炭素原子数３〜５の分岐のアルキル基を表し、そしてＲ5が炭素原子数６〜９の分岐のアルキル基を表す。］
で表されるパーオキシエステル、及び／又は
下記式III：
【化３】
2007281135.tif 000003
［但し、Ｒ6がそれぞれ独立して炭素原子数３〜８の分岐のアルキル基を表し、そしてＲ7及びＲ8が、それぞれ独立して炭素原子数１〜８の直鎖又は分岐のアルキル基を表し、且つＲ7及びＲ8が合体して炭素原子数５〜９の環を形成していても良い。］
で表されるパーオキシケタールである
を含んでいる請求項１〜５のいずれか１項に記載の太陽電池用封止膜。
【請求項７】
式IIにおいて、Ｒ4がｔ−ブチル基を表し、そしてＲ5が２−エチルヘキシル基を表す請求項６に記載の太陽電池用封止膜。
【請求項８】
式IIIにおいて、Ｒ6がｔ−ヘキシル基を表し、そしてＲ7及びＲ8が合体して３．３．５−トリメチルシクロヘキシル基を形成している請求項６に記載の太陽電池用封止膜。
【請求項９】
有機過酸化物を、エチレン／酢酸ビニル共重合体１００質量部に対して０．１〜５．０質量部含有している請求項１〜８のいずれか１項に記載の太陽電池用封止膜。
【請求項１０】
架橋助剤を、合計量で、エチレン／酢酸ビニル共重合体１００質量部に対して０．１〜１０質量部含有している請求項１〜９のいずれか１項に記載の太陽電池用封止膜。
【請求項１１】
さらにジヒドロキシジメトキシベンゾフェノン系紫外線吸収剤を含む請求項１〜１０のいずれか１項に記載の太陽電池用封止膜。
【請求項１２】
さらにシランカップリング剤を含む請求項１〜１１のいずれか１項に記載の太陽電池用封止膜。
【請求項１３】
エチレン／酢酸ビニル共重合体の酢酸ビニル単位が、エチレン酢酸ビニル共重合体１００質量部に対して１０〜３６質量％の範囲にある請求項１〜１２のいずれか１項に記載の太陽電池用封止膜。
【請求項１４】
表面側透明保護部材と裏面側保護部材との間に封止膜を介して太陽電池用セルを封止してなる太陽電池において、
前記封止膜が請求項１〜１３のいずれか１項に記載の太陽電池用封止膜であることを特徴とする太陽電池。
【手続補正２】
【補正対象書類名】明細書
【補正対象項目名】００１７
【補正方法】変更
【補正の内容】
【００１７】
従って、上記目的は、
エチレン／酢酸ビニル共重合体、有機過酸化物及び架橋助剤を含む太陽電池用封止膜において、
該架橋助剤として、トリアリルイソシアヌレート及びトリメチロールプロパントリ（メタ）アクリレート（即ち、トリメチロールプロパントリアクリレート及び／又はトリメチロールプロパントリメタクリレート）を含み、且つ
トリアリルイソシアヌレート及びトリメチロールプロパントリ（メタ）アクリレートの配合比が、質量で６０：４０〜９０：１０の範囲にあることを特徴とする太陽電池用封止膜により達成することができる。
【手続補正３】
【補正対象書類名】明細書
【補正対象項目名】００１９
【補正方法】変更
【補正の内容】
【００１９】
（１）トリアリルイソシアヌレート及びトリメチロールプロパントリ（メタ）アクリレートの配合比が、質量で特に６５：３５〜８５：１５の範囲である。フクレの発生の抑制と、架橋速度の向上を、極めて高次で実現することができる。
【手続補正４】
【補正対象書類名】明細書
【補正対象項目名】００２２
【補正方法】変更
【補正の内容】
【００２２】
（４）有機化酸化物として、
下記式Ｉ：
【手続補正５】
【補正対象書類名】明細書
【補正対象項目名】００８５
【補正方法】変更
【補正の内容】
【００８５】
［実施例１］
［ＥＶＡ樹脂組成物配合１（質量部）］
ＥＶＡ樹脂：                                                  １００
（酢酸ビニル含有量２６重量％、メルトフローレート４ｇ／１０分）
架橋剤１：                                                    １．５
（２，５−ジメチル−２，５−ビス（ｔ−ブチルパーオキシ）ヘキサン）
架橋助剤１（トリアリルイソシアヌレート）：                    １．０
架橋助剤２（トリメチロールプロパントリメタクリレート）：      ０．５
添加剤１（ヒンダードアミン系光安定剤）                        ０．１
［ビス（２，２，６，６−テトラメチル−４−ピペリジル）セバケート］
添加剤２（紫外線吸収剤）：                                   ０．０３
（２，２−ジヒドロキシ−４，４−ジメトキシベンゾフェノン）
上記配合のＥＶＡ樹脂組成物を用いて、８０℃で押出成形法して、ＥＶＡフィルムを成膜した。フィルムの厚さは６００μｍであった。
【手続補正６】
【補正対象書類名】明細書
【補正対象項目名】００９３
【補正方法】変更
【補正の内容】
【００９３】
［比較例３］
実施例３において、架橋助剤１（２．０質量部）のみ使用し、架橋助剤２を使用しなかった以外、実施例３と同様にして太陽電池を製造した。
【手続補正７】
【補正対象書類名】明細書
【補正対象項目名】００９８
【補正方法】変更
【補正の内容】
【００９８】
【表１】
2007281135.tif 000004
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
発光素子と、
前記発光素子を実装する実装部材と
を備え、
前記実装部材は、前記発光素子の発する光と干渉しないように、切り欠き部が設けられること
を特徴とする半導体レーザ装置。
【請求項２】
前記実装部材は、前記発光素子が実装される第１の実装部材と、
前記第１の実装部材が実装される第２の実装部材と
を備え、
前記切り欠き部は、前記第１の実装部材、及び／又は前記第２の実装部材に設けられること
を特徴とする請求項１に記載の半導体レーザ装置。
【請求項３】
前記発光素子は発光面を有し、
前記切り欠き部は、前記実装部材の、前記発光面と略同一方向の面に設けられること
を特徴とする請求項１又は２に記載の半導体レーザ装置。
【請求項４】
前記発光素子の発光面は、前記実装部材の切り欠き部が設けられる面よりも、前記発光面から発せられる光の進行方向に対して反対側に位置し、
前記切り欠き部は、前記発光面を含む面に接するように設けられること
を特徴とする請求項３に記載の半導体レーザ装置。
【請求項５】
前記切り欠き部の形状が、四角柱であること
を特徴とする請求項４に記載の半導体レーザ装置。
【請求項６】
前記切り欠き部の形状が、三角柱形状であること
を特徴とする請求項４に記載の半導体レーザ装置。
【請求項７】
請求項１から６のいずれか１項に記載の半導体レーザ装置に用いられる実装部材。